(57)【要約】【課題】本編開始直後に画面が暗く見えにくいことによる不快感を減少する、消費電力を低減した液晶表示装置を提供する。【解決手段】ステップＳ１３０で、計時手段は計時を開始する。ステップＳ１４０で、制御手段は、冷陰極管の明るさをコマーシャル視聴用の明るさにするよう調光制御部に指示する。ステップＳ１５０で、計時手段が１３秒を計時したかを判断し、１３秒を計時した場合は、ステップＳ１６０に進み、そうでない場合は、ステップＳ１５０に進む。ステップＳ１６０で、制御手段は、冷陰極管の明るさを本編開始待機用の明るさにするよう調光制御部に指示する。【選択図】図２
2008148000.tif 000002
【特許請求の範囲】
【請求項１】
テレビジョン放送を受信するチューナを備え、調光制御部が駆動電圧を制御することで指示された明るさになるように明るさが調整される冷陰極管が液晶パネルを照射する液晶表示装置であって、
前記チューナがコマーシャルを受信しているか否かを判断する番組判別手段と、
本編視聴用の明るさ、コマーシャル視聴用の明るさ、本編開始待機用の明るさ、コマーシャルを受信しているか否かを判断する間隔である判断間隔、及び待機時間を記憶するメモリと、
時間を計時する計時手段と、
前記各手段を制御するとともに、前記調光制御部に対して前記冷陰極管の明るさを指示する制御手段とを備え、
該制御手段は、
前記番組判別手段がコマーシャルの開始を検出した際に、前記計時手段をリセットして計時を開始させるとともに、前記調光制御部に対して前記コマーシャル視聴用の明るさを指示し、
前記計時手段が前記判断間隔より前記待機時間だけ短い時間を計時した際に、前記調光制御部に対して前記本編開始待機用の明るさを指示し、
前記計時手段が前記判断間隔を計時した際に、前記番組判別手段がコマーシャルを受信していると判断した場合は、前記計時手段をリセットして計時を開始させるとともに、前記調光制御部に対して前記コマーシャル視聴用の明るさを指示し、前記番組判別手段がコマーシャルを受信していると判断しなかった場合は、前記調光制御部に対して前記本編視聴用の明るさを指示し、
前記本編開始待機用の明るさは、前記本編視聴用の明るさよりも暗いか又は等しく、且つ前記コマーシャル視聴用の明るさよりも明るいことを特徴とする液晶表示装置。
【請求項２】
前記番組判別手段は、音声種別がステレオであるか否かを検知することによって、前記チューナがコマーシャルを受信しているか否かを判断することを特徴とする請求項１に記載の液晶表示装置。
【請求項３】
前記番組判別手段は、番組種別を示す番組情報がコマーシャルになっているか否かを検知することによって、前記チューナがコマーシャルを受信しているか否かを判断することを特徴とする請求項１に記載の液晶表示装置。
【請求項４】
前記判断間隔が、１４秒以上且つ２０秒以下、好ましくは１５秒以上且つ１８秒以下、より好ましくは１５秒であることを特徴とする請求項１乃至３の何れか１項に記載の液晶表示装置。
【請求項５】
前記待機時間が、０．５秒以上且つ３秒以下、好ましくは１．５秒以上且つ２．５秒以下、より好ましくは２秒であることを特徴とする請求項１乃至４の何れか１項に記載の液晶表示装置。
【発明の詳細な説明】
【技術分野】
【０００１】
本発明は、液晶表示装置に関し、より詳しくは、冷陰極管をバックライトに使用した液晶表示装置に関する。
【背景技術】
【０００２】
近年、テレビジョン放送を始めとする映像コンテンツの表示を行う装置として、液晶表示装置が一般に普及している。液晶表示装置の多くは、液晶パネルをその背面よりバックライトで照射する方式を採用している。バックライトに使用される光源として、冷陰極管がある。冷陰極管は、直流交流変換部、昇圧部、電圧検出部、調光制御部からなる冷陰極管用電源によって駆動される。
【０００３】
外部電源から供給された交流電圧は、電源部において直流に変換され、冷陰極管用電源や、マイコン（マイクロコントローラの略）、映像音声信号処理回路等の各部に供給される。冷陰極管用電源に供給された直流電圧は、直流交流変換部で高周波の交流に変換され、昇圧部で昇圧された後、冷陰極管に印加される。この昇圧された電圧は、電圧検出部で測定される。調光制御部は、この測定された電圧の値と冷陰極管の明るさを指定する制御信号とに基づいて直流交流変換部を制御することで、冷陰極管に印加される電圧（駆動電圧）を制御し、冷陰極管の明るさを調整する。
【０００４】
所で、環境問題に対する意識の高まりから、液晶表示装置の消費電力の低減が望まれている。通常、バックライトの点灯に使用される電力は、液晶表示装置全体で使用される電力の７０％〜８０％程度に達する。故に、バックライトの消費電力を低減することは、非常に効果的である。しかし、一般に、画面が暗くなると映像が見にくくなり、視聴者は不快に感じるようになる。このため、視聴者に不快感を与えないように画面の明るさを制御して、消費電力の低減を行う必要がある。
【０００５】
テレビジョン放送における番組は、本編とその間に放送されるコマーシャルとからなる。しかし、本編に比べて、コマーシャルの重要度は低く、視聴者によっては、席を外す場合もある。このため、本編に比べて重要度の低いコマーシャルを表示している間は、バックライトに印加される駆動電圧を低下して、消費電力を低減する技術が提案されている（例えば、特許文献１参照）。
【０００６】
図４は、特許文献１に記載されている技術の動作を示す図である。なお、同図は、番組の本編の間に、３０秒のコマーシャルが入っている場合を示している。また、上側の実線は、バックライトの駆動電圧を示し、点線は、実施のバックライトの明るさを示す。
【０００７】
先ず、本編終了後、時間Ｌだけ経過した時点で、コマーシャルの開始が検出されたとする。この時点で、駆動電圧を低減し、バックライトを暗くする。その後、常に、コマーシャルが終了したか否かを確認し続ける。そして、コマーシャルの終了が検出された時点（コマーシャルの開始が検出されてから３０秒経過した時点）で駆動電圧を増加させ、バックライトを明るくする。
【０００８】
この技術によれば、本編に比べて重要度の低いコマーシャルが表示されている間、画面が暗くなるため、視聴者にあまり不快感を与えずに、消費電力を低減することができる。
【０００９】
【特許文献１】特開２００５−３２８２８２号公報
【発明の開示】
【発明が解決しようとする課題】
【００１０】
所で、特許文献１の技術は、コマーシャルが終了し、本編が始まったことを検出してから、バックライトの明るさの増加を開始する。このため、本編開始後、コマーシャルの終了を検出するまでの間（図４のＬに相当する時間）、画面が暗い状態が続くため、本編の開始部分が暗くて見えにくく、視聴者が不快に感じるという問題があった。
【００１１】
また、バックライトの光源として多く使用されている冷陰極管は、駆動電圧を増加してもすぐには明るくならず、通常、１〜２秒程度の遅延を生ずる。即ち、図４に示すように、コマーシャル開始を検出した時点（ｔ＝０）からのバックライトの明るさの減少が瞬時に行えるのに対して、コマーシャル終了を検出した時点（ｔ＝３０）からのバックライトの明るさの増加は瞬時には行えない。このため、コマーシャル終了を検出しても、冷陰極管はすぐには明るくならず、視聴者が更に不快に感じるという問題があった。
【００１２】
本発明は、上述の問題点に鑑みてなされたものであり、コマーシャル終了を検出する前に冷陰極管を明るくし始めることで、本編開始直後に画面が暗く見えにくいことによる不快感を減少する、消費電力を低減した液晶表示装置を提供することを目的とする。
【課題を解決するための手段】
【００１３】
請求項１に記載の液晶表示装置は、テレビジョン放送を受信するチューナを備え、調光制御部が駆動電圧を制御することで指示された明るさになるように明るさが調整される冷陰極管が液晶パネルを照射する液晶表示装置であって、前記チューナがコマーシャルを受信しているか否かを判断する番組判別手段と、本編視聴用の明るさ、コマーシャル視聴用の明るさ、本編開始待機用の明るさ、コマーシャルを受信しているか否かを判断する間隔である判断間隔、及び待機時間を記憶するメモリと、時間を計時する計時手段と、前記各手段を制御するとともに、前記調光制御部に対して前記冷陰極管の明るさを指示する制御手段とを備え、該制御手段は、前記番組判別手段がコマーシャルの開始を検出した際に、前記計時手段をリセットして計時を開始させるとともに、前記調光制御部に対して前記コマーシャル視聴用の明るさを指示し、前記計時手段が前記判断間隔より前記待機時間だけ短い時間を計時した際に、前記調光制御部に対して前記本編開始待機用の明るさを指示し、前記計時手段が前記判断間隔を計時した際に、前記番組判別手段がコマーシャルを受信していると判断した場合は、前記計時手段をリセットして計時を開始させるとともに、前記調光制御部に対して前記コマーシャル視聴用の明るさを指示し、前記番組判別手段がコマーシャルを受信していると判断しなかった場合は、前記調光制御部に対して前記本編視聴用の明るさを指示し、前記本編開始待機用の明るさは、前記本編視聴用の明るさよりも暗いか又は等しく、且つ前記コマーシャル視聴用の明るさよりも明るいことを特徴とする。
【００１４】
請求項１に記載の液晶表示装置によれば、番組判別手段がコマーシャル終了の判断を行うよりも待機時間だけ前に、冷陰極管を明るくし始めることができる。
【００１５】
請求項２に記載の液晶表示装置は、請求項１において、前記番組判別手段は、音声種別がステレオであるか否かを検知することによって、前記チューナがコマーシャルを受信しているか否かを判断することを特徴とする。
【００１６】
請求項２に記載の液晶表示装置によれば、音声種別がステレオの場合に、コマーシャルを受信していると判断することができる。従って、音声種別がステレオになったことを検出することで、コマーシャルが開始したことを検出することができる。
【００１７】
請求項３に記載の液晶表示装置は、請求項１において、前記番組判別手段は、番組種別を示す番組情報がコマーシャルになっているか否かを検知することによって、前記チューナがコマーシャルを受信しているか否かを判断することを特徴とする。
【００１８】
請求項３に記載の液晶表示装置によれば、番組の本編やコマーシャル等の番組種別を示す番組情報を用いて、コマーシャルを受信しているか否かを判断することができる。
【００１９】
請求項４に記載の液晶表示装置は、請求項１乃至３の何れか１項において、前記判断間隔が、１４秒以上且つ２０秒以下、好ましくは１５秒以上且つ１８秒以下、より好ましくは１５秒であることを特徴とする。
【００２０】
請求項４に記載の液晶表示装置によれば、番組判別手段は、１４秒以上且つ２０秒以下の判断間隔毎に、好ましくは１５秒以上且つ１８秒以下の判断間隔毎に、より好ましくは１５秒の判断間隔毎に、コマーシャルが終了したか否かを判別する。
【００２１】
請求項５に記載の液晶表示装置は、請求項１乃至４の何れか１項において、前記待機時間が、０．５秒以上且つ３秒以下、好ましくは１．５秒以上且つ２．５秒以下、より好ましくは２秒であることを特徴とする。
【００２２】
請求項５に記載の液晶表示装置によれば、番組判別手段がコマーシャル終了の判断を行うよりも０．５秒以上且つ３秒以下の待機時間だけ前に、好ましくは１．５秒以上且つ２．５秒以下の待機時間だけ前に、より好ましくは２秒の待機時間だけ前に、冷陰極管の明るさを増加し始めることができる。
【発明の効果】
【００２３】
本発明によれば、番組判別手段がコマーシャル終了の判断を行うよりも待機時間だけ前に、冷陰極管を明るくし始めることができるため、本編開始直後に画面が暗く見えにくいことによる不快感を減少することができる。
【００２４】
更に、本発明によれば、コマーシャルを受信しているか否かの判断を、音声種別がステレオであるか否かを検知するだけで行うことができる。音声種別を検出する機能は、通常の液晶表示装置では既に装備されている場合が多く、装置コストを低減することができる。
【００２５】
更に、本発明によれば、番組の本編やコマーシャル等の番組種別を示す番組情報を用いて、コマーシャルを受信しているか否かを直接判断するため、正確な判断を行うことができる。
【００２６】
更に、本発明によれば、番組判別手段は、略１５秒毎に、コマーシャルが終了したか否かを判別するため、コマーシャル終了を常時監視する必要がなくなり、消費電力を低減することができる。また、コマーシャルの長さは、通常、１５秒の整数倍になっているため、判断回数を必要最低限に抑えることができる。
【００２７】
更に、本発明によれば、番組判別手段がコマーシャル終了の判断を行うよりも略２秒だけ前に、冷陰極管を明るくし始めることができるため、本編開始直後に画面が暗く見えにくいことによる不快感を減少することができる。
【発明を実施するための最良の形態】
【００２８】
本発明の実施の形態を、図面を参照して説明する。なお、以下の実施例は本発明の具体例に過ぎず、本発明が以下の実施形態に限定されるものではない。
【００２９】
図１は、本実施例の液晶表示装置の構成を示すブロック図である。液晶表示装置１は、冷陰極管２、チューナ３１、操作手段３３、メモリ３４、電源部３５、映像音声信号処理回路４１、液晶パネル４２、スピーカ４３、マイコン５、冷陰極管用電源６を備える。
【００３０】
チューナ３１は、アンテナ３２を介して、テレビジョン放送を受信する。操作手段３３は、ユーザの行う入力操作に対応した制御信号を発生する。メモリ３４は、本編視聴用の明るさ、コマーシャル視聴用の明るさ、本編開始待機用の明るさ、コマーシャルを受信しているか否かを判断する間隔である判断間隔、及び待機時間を記憶する。電源部３５は、外部電源（図示せず）から供給された交流電圧を直流に変換し、液晶表示装置１の各部に供給する。
【００３１】
液晶パネル４２は、液晶で構成された、映像を表示するパネルである。スピーカ４３は、音声を出力する。映像音声信号処理回路４１は、映像及び音声の信号処理を行い、液晶パネル４２に対する映像信号及びスピーカ４３に対する音声信号を生成する。冷陰極管２は、液晶パネル４２をその背面から照射する。
【００３２】
冷陰極管用電源６は、直流交流変換部６１、昇圧部６２、電圧検出部６３、調光制御部６４からなる。直流交流変換部６１は、電源部３５から供給された直流電圧を高周波の交流に変換する。昇圧部６２は、直流交流変換部６１の出力である高周波の交流電圧を昇圧する。電圧検出部６３は、昇圧部６２の出力を測定する。調光制御部６４は、電圧検出部６３で測定された電圧値と冷陰極管の明るさを指定する制御信号とに基づいて直流交流変換部６１を制御することで、冷陰極管２に印加される電圧（駆動電圧）を制御し、冷陰極管２の明るさを調整する。
【００３３】
マイコン５は、番組判別手段５１、計時手段５２、表示制御手段５３、キー処理手段５４、制御手段５５を備える。番組判断手段５１は、チューナ３１がコマーシャルを受信しているか否かを判断する。具体的には、チューナ３１が受信したテレビジョン放送の番組の音声種別がステレオの場合は、コマーシャルを受信していると判断し、そうでない場合は、コマーシャルではなく本編を受信していると判断する。
【００３４】
計時手段５２は、時間を計時する。表示制御手段５３は、メニュー画面や各種情報（チャンネル、時計、等）の表示を行うＯＳＤ（オンスクリーンディスプレイ）画面を構成する。キー処理手段５４は、操作手段３３の発生した制御信号を受信し、判別する。制御手段５５は、液晶表示装置１の各部を制御するとともに、冷陰極管２の明るさを指定する制御信号を生成する。この制御信号は、調光制御部６４に入力され、冷陰極管２の明るさの調整が行われる。
【００３５】
図２は、本実施例の液晶表示装置の処理の流れを示すフローチャートである。このフローチャートは、番組本編の視聴が開始されると始まる。なお、各ステップの進行は、制御手段５５によって行われる。ここで、メモリ３４には、本編視聴用の明るさ、コマーシャル視聴用の明るさ、本編開始待機用の明るさ、判断間隔、及び待機時間として、それぞれ、８０％、２０％、４０％、１５秒、及び２秒が記憶されている。
【００３６】
ステップＳ１１０で、番組判別手段５１が、コマーシャルが開始したことを検出した場合は、ステップＳ１２０に進み、そうでない場合は、ステップＳ１１０に進む。
【００３７】
ステップＳ１２０で、制御手段５５は、現在の明るさを変数Ｂに記憶し、ステップＳ１３０に進む。ここで、変数Ｂの値の記憶領域は、メモリ３４に確保される。
【００３８】
ステップＳ１３０で、制御手段５５は、計時手段５２をリセットし、計時を開始し、ステップＳ１４０に進む。
【００３９】
ステップＳ１４０で、制御手段５５は、メモリ３４から「コマーシャル視聴用の明るさ」を読み込み、変数Ｄに一時記憶し、この変数Ｄの値を明るさとして指定する制御信号を調光制御部６４に送信する。調光制御部６４は、この制御信号で指定された明るさになるよう制御を開始し、ステップＳ１５０に進む。
【００４０】
ステップＳ１５０で、計時手段５２は、判断間隔（１５秒）から待機時間（２秒）だけ前の時間（１３秒）を経過したかを判断し、経過した場合は、ステップＳ１６０に進み、そうでない場合は、ステップＳ１５０に進む。
【００４１】
ステップＳ１６０で、制御手段５５は、メモリ３４から「本編開始待機用の明るさ」を読み込み、変数Ｍに一時記憶し、この変数Ｍの値を明るさとして指定する制御信号を調光制御部６４に送信する。調光制御部６４は、この制御信号で指定された明るさになるよう制御を開始し、ステップＳ１７０に進む。
【００４２】
ステップＳ１７０で、計時手段５２は、判断間隔（１５秒）を経過したかを判断し、経過した場合は、ステップＳ１８０に進み、そうでない場合は、ステップＳ１７０に進む。
【００４３】
ステップＳ１８０で、番組判別手段５１が、コマーシャルが終了したことを検出した場合は、ステップＳ１９０に進み、そうでない場合は、ステップＳ１３０に進む。
【００４４】
ステップＳ１９０で、制御手段５５は、変数Ｂの値を明るさとして指定する制御信号を調光制御部６４に送信する。調光制御部６４は、この制御信号で指定された明るさになるよう制御を開始し、「終了」に進む。
【００４５】
図３は、本発明の実施例の動作を示す図である。同図は、番組の本編の間に、３０秒のコマーシャルが入っている場合を示している。また、上側の実線は、バックライトの駆動電圧を示し、点線は、実施のバックライトの明るさを示す。また、「ｔ」は、計時手段５２が計時している時間を示す。
【００４６】
先ず、本編終了後、時間Ｌだけ経過した時点で、コマーシャルの開始が検出されたとする。この時点で、計時手段５２をリセットして計時を開始するとともに、駆動電圧を低減し、冷陰極管２の明るさを「コマーシャル視聴用の明るさ」にする。
【００４７】
計時手段５２が、判断間隔（１５秒）から待機時間（２秒）だけ前の時間（１３秒）を計時した時点（即ち、コマーシャル開始を検出してから１３秒経過した時点）で、冷陰極管２の明るさを「本編開始待機用の明るさ」にする。
【００４８】
計時手段５２が、判断間隔（１５秒）を計時した時点（即ち、コマーシャル開始を検出してから１５秒経過した時点）で、コマーシャルはまだ終了していないので、計時手段５２をリセットして計時を開始するとともに、駆動電圧を低減し、冷陰極管２の明るさを「コマーシャル視聴用の明るさ」にする。
【００４９】
計時手段５２が、判断間隔（１５秒）から待機時間（２秒）だけ前の時間（１３秒）を計時した時点（即ち、コマーシャル開始を検出してから２８秒経過した時点）で、冷陰極管２の明るさを「本編開始待機用の明るさ」にする。
【００５０】
計時手段５２が、判断間隔（１５秒）を計時した時点（即ち、コマーシャル開始を検出してから３０秒経過した時点）で、コマーシャルは終了しているので、冷陰極管２の明るさを「本編視聴用の明るさ」に戻す。
【００５１】
以上の動作説明から分かるように、コマーシャルの終了を検出する以前に、冷陰極管２は「コマーシャル視聴用の明るさ」よりも明るくなっており、また、図４に示す従来技術よりも早く「本編視聴用の明るさ」に戻すことができる。なお、図３による動作の説明は、コマーシャルが３０秒の場合のものであるが、これ以外の長さの場合においても動作することは説明するまでもない。
【００５２】
以上述べたように、本発明では、コマーシャル終了を検出する前に冷陰極管を明るくし始めることで、本編開始直後に画面が暗く見えにくいことによる不快感を減少する、消費電力を低減した液晶表示装置を提供することができる。
【００５３】
なお、上述の実施例では、マイコン５が複数の手段を実現する構成となっているが、各手段は、それぞれ独立したチップにより実現しても良い。
【００５４】
また、上述の実施例では、番組判別手段５１が、音声種別がステレオであるか否かによって、コマーシャルを受信しているか否かを判断したが、番組種別を直接検出して判断しても良い。ここで、番組種別は、テレビジョン放送によって映像及び音声とともに放送される番組情報から検出しても良いし、通信手段（例えば、インターネット）を介して受信した番組情報から検出しても良い。
【００５５】
また、操作手段３３は、液晶表示装置１自体に設けられたスイッチであっても、リモコンであっても良い。
【図面の簡単な説明】
【００５６】
【図１】本発明の実施例の構成を示すブロック図である。
【図２】本発明の実施例の処理の流れを示すフローチャートである。
【図３】本発明の実施例の動作を示す図である。
【図４】従来の動作を示す図である。
【符号の説明】
【００５７】
１  液晶表示装置
２  冷陰極管
３１  チューナ
３２  アンテナ
３３  操作手段
３４  メモリ
３５  電源部
４１  映像音声信号処理回路
４２  液晶パネル
４３  スピーカ
５  マイコン
５１  番組判断手段
５２  計時手段
５３  表示制御手段
５４  キー処理手段
５５  制御手段
６  冷陰極管用電源
６１  直流交流変換部
６２  昇圧部
６３  電圧検出部
６４  調光制御部
【図１】
2008148000.tif 000003
【図２】
2008148000.tif 000004
【図３】
2008148000.tif 000005
【図４】
2008148000.tif 000006